(57)【特許請求の範囲】
【請求項１】
前面に開口部が形成された筒状本体と、この筒状本体の上端部に取り付けられる頭部と、上記開口部を内壁面側から覆うように設置される金網材とを有し、この金網材の縦寸法および横寸法を上記開口部の縦寸法および横寸法よりもそれぞれは大きな値に設定するとともに、上記筒状本体の内壁面を粗面に形成し、かつ上記金網材を筒状本体の内壁面に沿わせるように湾曲させ、その復元力に応じて金網材の左右両側辺部を筒状本体の内壁面に圧接させることにより、金網材を筒状本体に取り付けたことを特徴とするローソク立て。
【請求項２】
請求項１記載のローソク立てにおいて、筒状本体の開口部を部分的に覆う格子状部を設けたことを特徴とするローソク立て。
【請求項３】
請求項１または２記載のローソク立てにおいて、上記金網材の開口率を２０％〜４０％の範囲内に設定したことを特徴とするローソク立て。
【請求項４】
請求項１〜３の何れかに記載のローソク立てにおいて、頭部を取り外した状態で筒状本体に出し入れされるローソク支持部材を有し、このローソク支持部材に、筒状本体の上辺部に係止される係止部と、この係止部から筒状本体の内壁面に沿って下方側に延びる垂下部と、この垂下部の下端部から前方側に延びる水平部と、この水平部に固定されたローソク保持部とを設け、平面視において筒状本体の中央部近傍に上記ローソク保持部が位置するように上記水平部の突出長さおよびこの水平部に対するローソク保持部の固定位置を設定するとともに、側面視において上記開口部の下端近傍にローソク保持部が位置するように上記垂下部の長さを設定したことを特徴とするローソク立て。
【発明の詳細な説明】
【０００１】
【発明の属する技術分野】
本発明は、墓石の前方部等に設置されるローソク立ての改良に関するものである。
【０００２】
【従来の技術】
従来、例えば、実公平５−２６２０２号公報に示されるように、通気孔部を略中央部に有する頭部（笠部）と、内部が中空状に形成された筒状本体（胴部）と、この筒状本体に連設された台座部と、上記筒状本体の側面に形成された中空部に連通する窓用の開口部と、上記開口部に被覆される着脱自在のカバー部材と、上記開口部周囲の筒状本体と上記カバー部材との間隙で形成される空気流入部とを備え、上記カバー部材を筒状本体から取り外した状態で、上記開口部から筒状本体内にローソクを収容するように構成された墓前用石造ローソク立てが知られている。
【０００３】
【発明が解決しようとする課題】
上記のように筒状本体に形成された開口部に、透明な樹脂材からなるカバー部材を着脱自在に取り付けるように構成した場合には、ローソクの炎が風等によって消されるのを防止しつつ、外部からローソクの炎を見ることができるという利点を有する反面、上記開口部にカバー部材をぴったりと合わせて取り付けることが困難である等の問題があった。
【０００４】
すなわち、上記筒状本体を石材等により形成する際に、筒状本体の直径および上記開口部の大きさが制作誤差によって種々変化するため、カバー部材と、その設置部との間に寸法誤差が生じ易いという問題がある。また、上記筒状本体が石材で形成されている場合は、これにねじ孔を設けることが困難であるので、上記カバー部材を筒状本体にねじ止めする構成を採用することができない。このため、上記カバー部材の取付状態が不安定になり、筒状本体からカバー部材が脱落して紛失し易いという問題があった。
【０００５】
本発明は、上記の点に鑑みてなされたものであり、筒状本体の製作誤差に起因した不都合を解消することができるローソク立てを提供することを目的としている。
【０００６】
【課題を解決するための手段】
請求項１に係る発明は、前面に開口部が形成された筒状本体と、この筒状本体の上端部に取り付けられる頭部と、上記開口部を内壁面側から覆うように設置される金網材とを有し、この金網材の縦寸法および横寸法を上記開口部の縦寸法および横寸法よりもそれぞれは大きな値に設定するとともに、上記筒状本体の内壁面を粗面に形成し、かつ上記金網材を筒状本体の内壁面に沿わせるように湾曲させ、その復元力に応じて金網材の左右両側辺部を筒状本体の内壁面に圧接させることにより、金網材を筒状本体に取り付けたものである。
【０００７】
上記構成によれば、筒状本体の製作誤差に起因して、その直径および開口部の大きさが種々に変化した場合においても、上記金網材を筒状本体の内壁面の曲率に対応させて湾曲させることにより、この内壁面に上記金網材をぴったりと沿わせて取り付けることが可能であり、上記開口部から筒状本体内に風等が吹き込むことが上記金網材によって効果的に抑制されるとともに、筒状本体内に設置されたローソクの炎が上記金網材を介して外部から視認することが可能となる。
【０００８】
請求項２に係る発明は、上記請求項１記載のローソク立てにおいて、筒状本体の開口部を部分的に覆う格子状部を設けたものである。
【０００９】
上記構成によれば、筒状本体内に設置されたローソクの炎の視認性を確保しつつ、筒状本体に取り付けられた金網材が上記格子状部により効果的に保護されることになる。
【００１０】
請求項３に係る発明は、上記請求項１または２記載のローソク立てにおいて、上記金網材の開口率を２０％〜４０％の範囲内に設定したものである。
【００１１】
上記構成によれば、金網材の開口率が２０％以上に設定されることにより、この金網材を介したローソクの炎の視認性が充分に確保されるとともに、金網材の開口率が４０％以下に設定されることにより、この金網材による防風作用が効果的に得られることになる。
【００１２】
請求項４に係る発明は、上記請求項１〜３の何れかに記載のローソク立てにおいて、頭部を取り外した状態で筒状本体に出し入れされるローソク支持部材を有し、このローソク支持部材に、筒状本体の上辺部に係止される係止部と、この係止部から筒状本体の内壁面に沿って下方側に延びる垂下部と、この垂下部の下端部から前方側に延びる水平部と、この水平部に固定されたローソク保持部とを設け、平面視において筒状本体の中央部近傍に上記ローソク保持部が位置するように上記水平部の突出長さおよびこの水平部に対するローソク保持部の固定位置を設定するとともに、側面視において上記開口部の下端近傍にローソク保持部が位置するように上記垂下部の長さを設定したものである。
【００１３】
上記構成によれば、ローソク保持部に保持されたローソクに火をつけた状態で、上記ローソク支持部材を筒状本体の上端開口部からその内部に挿入して、上記係止部を筒状本体の上辺部に係止することにより、上記ローソク保持部に保持されたローソクが、筒状本体内の適正位置に設置されることになる。
【００１６】
【発明の実施の形態】
図１〜図３は、本発明に係るローソク立ての実施形態を示している。このローソク立ては、所定の大きさを有する窓用の開口部１が前面に形成された筒状本体２と、この筒状本体２の上端部に載置される笠形の頭部３とを有し、この頭部３を取り外した状態で筒状本体２内に出し入れされるローソク支持部材４と、上記開口部１を内壁面側から覆うように設置される金網材５とを有している。
【００１７】
上記筒状本体２は、石材を削り加工する等によって形成され、外壁面が平滑に仕上げられるとともに、内壁面が粗面に形成されている。また、上記開口部１には、斜め方向に延びる複数本の格子状部６が設けられ、この格子状部６により上記開口部１の一部が覆われている。
【００１８】
上記金網材５は、例えば０．５７ｍｍの線径を有するとともに、２５．５ｍｍ2当たりの目数が２０に設定されたステンレス鋼線製の織金網（開口率が３０．３８％に設定された２０メッシュの金網）、または０．７５ｍｍの線径を有するとともに、２５．５ｍｍ2当たりの目数が１２に設定されたステンレス鋼線製の織金網（開口率が４１．７６％に設定された１２メッシュの金網）を、所定の大きさに切断する等により形成されている。また、上記金網材５の縦寸法および横寸法は、上記開口部１の縦寸法および横寸法よりもそれぞれ大きな値となるように設定されている。なお、金網材５は、上記ステンレス鋼線製の織金網に限られず、エキスパンドメタルまたは打ち抜き鋼板等により形成してもよい。
【００１９】
そして、上記金網材５を、図３の仮想線で示すように、筒状本体２の曲率に対応させて湾曲させた状態で、その内壁面に沿わせるように設置することにより、上記金網材５の復元力に応じてその左右両側辺部が圧接され、筒状本体２の内壁面と、金網材５の側辺部との間に作用する摩擦力により金網材５が筒状本体２に固定されるようになっている。
【００２０】
また、上記ローソク支持部材４は、図１に示すように、筒状本体２の上辺部に係止される係止部７と、この係止部７から筒状本体２の内壁面に沿って下方側に延びる垂下部８と、この垂下部８の下端部から前方側に延びる水平部９と、この水平部９に固定されたローソク保持部１０とを有している。上記ローソク支持部材４の係止部７、垂下部８および水平部９は、所定幅のステンレス鋼板を折曲げる等により形成されている。
【００２１】
上記係止部７は、筒状本体２の板厚に対応した長さを有する天板部１１と、この天板部１１の後端部から斜め下方に延びる把持部１２とにより構成されている。そして、筒状本体２の後面上端部に形成された切欠き部１３の上辺部に上記係止部７を引っ掛けることにより、ローソク支持部材４の自重に応じて上記垂下部８が筒状本体２の後部内壁面に沿った状態で支持されるようになっている。
【００２２】
また、ローソク保持部１０には、上記水平部９の先端部上面にビス止めされる等により固定された受け皿１４と、この受け皿１４の上面中央に固定されたピン１５と、このピン１５に設けられたボス部に下端部が外嵌されることにより固定されたコイルばね状の支持体１６とが設けられている。そして、ローソク１７の下端部が上記支持体１６内に導入されるとともに、ローソク１７の軸心孔に上記ピン１５が差し込まれることにより、ローソク１７が立設状態で保持されるようになっている。
【００２３】
上記筒状本体２の後面上端部に形成された切欠き部１３の上辺部に、上記ローソク支持部材４の係止部７を係止することにより、図３に示すように、平面視において筒状本体２の中央部近傍に上記ローソク保持部１０が位置するように、上記水平部９の突出長さおよびこの水平部９に対するローソク保持部１０の固定位置が設定されるとともに、図１に示すように、側面視において上記開口部１の下端近傍にローソク保持部１０が位置するように上記垂下部８の長さが設定されている。
【００２４】
上記のように前面に開口部１が形成された筒状本体２と、この筒状本体２の上端部に取り付けられる頭部３と、上記開口部１を内壁面側から覆うように設置される金網材５とを設け、この金網材５を筒状本体２の内壁面に沿わせるように湾曲させ、その復元力に応じて金網材５の左右両側辺部を筒状本体２の内壁面に圧接させることにより、金網材５を筒状本体２に取り付けるように構成したため、石材等からなる筒状本体２の製作誤差等に起因して、その直径および開口部１の大きさが種々に変化した場合においても、上記筒状本体２の内壁面に金網材５をぴったりと沿わせて取り付けることができる。
【００２５】
したがって、上記開口部１から筒状本体２内に風または雨水等が吹き込むのを上記金網材５により抑制して、筒状本体２内に設置されたローソク１７の火が消えるのを効果的に防止できるとともに、上記金網材５を介してローソク１７の炎を外部から視認させることができる。しかも、上記金網材５を介して筒状本体２内に空気を導入させるとにより、酸素不足に起因してローソク１７の火が消えるのを防止できるとともに、可燃性の合成樹脂材からなるカバー部材を開口部１に設置した場合のように、ローソク７の炎によってカバー部材に火がつくという事態の発生を防止できるという利点がある。
【００２６】
さらに、上記筒状本体２に形成された窓用の開口部１を開放状態に放置した場合には、この開口部１からローソク立ての内部に蜂等が進入して巣を作り、これに気付かずにローソク立てを使用しようとして蜂に刺されるという事態が度々発生していた。これに対して上記開口部１を覆うように金網材５を設置することにより、ローソク立ての内部に蜂が進入するのを防止できるため、ローソク立てを長期間放置した場合においても、その内部に蜂等が巣を作るという事態の発生を確実に防止することができる。
【００２７】
また、上記実施形態では、筒状本体２の開口部１を部分的に覆う格子状部６を設けたため、この格子状部６に沿わせて上記金網材５を設置することにより、この金網材５を筒状本体２の曲率に正確に適合させて湾曲させた状態で、筒状本体２に安定して取り付けることができる。しかも、上記格子状部６により金網材５を効果的に保護することができるため、金網材５が外方から押されて、その取付状態が不安定になったり、金網材５が傷付けられたりするのを効果的に防止できるという利点がある。
【００２８】
特に、上記実施形態に示すように、筒状本体２の内壁面を平滑に仕上げることなく、粗面に形成した場合には、この筒状本体２の内壁面と、上記金網材５の側辺部との間に大きな摩擦力を作用させることができるため、簡単な構成で金網材５の取付状態を安定して維持できるという利点がある。
【００２９】
上記金網材５を開口部１に設置することによってローソク１７の炎が外部から見えにくくなるのを防止するとともに、上記金網材１による防風作用が充分に発揮されるようにするためには、上記金網材５の開口率が１０％〜５０％の範囲内となるように、その線径および単位面積当たりの目数等を設定する必要があることが実験により確認された。特に、上記ローソク１７の炎の視認性を充分に確保するためには、金網材の開口率を２０％以上に設定することが望ましく、かつ強風が吹き付けた場合においても、上記ローソク１７の炎が消えるのを効果的に防止するためには、上記開口率を４０％以下に設定することが望ましい。
【００３０】
また、上記のように前面に開口部１が形成された筒状本体２と、この筒状本体２の上端部を覆うように設置される頭部３と、この頭部３を取り外した状態で上記筒状本体２内に出し入れされるローソク支持部材４とを有するローソク立てにおいて、上記ローソク支持部材４に、筒状本体２の上辺部に係止される係止部７と、この係止部７から筒状本体２の内壁面に沿って下方側に延びる垂下部８と、この垂下部８の下端部から前方側に延びる水平部９と、この水平部９に固定されたローソク保持部１０とを設け、平面視において筒状本体２の中央部近傍に上記ローソク保持部１０が位置するように上記水平部９の突出長さおよびこの水平部９に対するローソク保持部１０の固定位置を設定するとともに、側面視において上記開口部１の下端近傍にローソク保持部１０が位置するように上記垂下部８の長さを設定したため、上記ローソク保持部１０に保持されたローソク１７に火をつけた状態で、上記ローソク支持部材４を筒状本体２の上端開口部からその内部に挿入して、上記係止部７を筒状本体２の上辺部に係止することにより、上記ローソク保持部１０に保持されたローソク１７を、筒状本体２内の適正位置、つまりローソク１７の炎が筒状本体２の壁面に接触するのを防止しつつ、上記開口部１を介してローソク１７の炎が外部から適正に視認できる位置にローソク１７を設置することができる。
【００３１】
しかも、上記のように筒状本体２の上辺部に上記ローソク支持部材４の係止部７を係止することにより、上記垂下部８を筒状本体２の内壁面に沿わせた状態で支持させるように構成したため、上記ローソク保持部１０をローソク本体２の底部から浮かせた状態で、ローソク支持部材４をその自重により筒状本体２に安定して支持することができ、制作誤差等に応じて筒状本体２の全長が変化した場合においても、上記ローソク１６の支持状態が不安定になるのを防止できる
すなわち、ローソク１６を保持する受け皿等が設けられたローソク保持部を、筒状本体２の下端部に設けられた底壁部上に載置するとともに、上記ローソク保持部に設けられた取手部を筒状本体の上辺部に係止するように構成することも考えられるが、この構成によると、制作誤差等によって筒状本体の全長が変化した場合に、上記取手部を筒状本体の上辺部に係止することができなくなって上記ローソク１６の支持状態が不安定になる虞がある。
【００３２】
これに対して上記のようにローソク保持部１０をローソク本体２の底部等から浮かせた状態で、ローソク支持部材４をその自重により筒状本体２に支持させるように構成した場合には、この筒状本体２の全長が制作誤差により多少変化した場合においても、筒状本体２の上辺部に上記係止部７を係止するとともに、上記垂下部８を筒状本体２の内壁面に沿わせた状態で安定して支持できるため、上記ローソク１６の支持状態が不安定になるのを防止することができる。しかも、ローソク保持部１０をローソク本体２の底部等から浮かせることにより、筒状本体２の下端部を覆う底壁部を省略できるという利点がある。
【００３３】
特に、上記実施形態では、筒状本体２の上端部に形成された切欠き部１３の上辺部に、上記ローソク支持部材４の係止部７を係止するように構成したため、上記切欠き部１３の幅寸法を適正値に設定することにより、上記係止部７が左右にがたつくのを防止して、上記ローソク支持部材４の支持状態を、より効果的に安定化させることができるという利点がある。
【００３４】
【発明の効果】
以上説明したように、本発明は、前面に開口部が形成された筒状本体と、この筒状本体の上端部に取り付けられる頭部と、上記開口部を内壁面側から覆うように設置される金網材とを有し、この金網材の縦寸法および横寸法を上記開口部の縦寸法および横寸法よりもそれぞれは大きな値に設定するとともに、上記筒状本体の内壁面を粗面に形成し、かつ上記金網材を筒状本体の内壁面に沿わせるように湾曲させ、その復元力に応じて金網材の左右両側辺部を筒状本体の内壁面に圧接させることにより、金網材を筒状本体に取り付けたため、筒状本体の製作誤差に起因して、その直径および開口部の大きさが種々に変化した場合においても、上記金網材を筒状本体の内壁面の曲率に対応させて湾曲させることにより、この内壁面に上記金網材をぴったりと沿わせて取り付けることができ、上記開口部から筒状本体内に風等が吹き込むのを上記金網材によって抑制して、筒状本体内に設置されたローソクの火が消えるのを効果的に防止できるとともに、筒状本体内に設置されたローソクの炎を、上記金網材を介して外部から視認させることができる等の利点がある。
【図面の簡単な説明】
【図１】本発明に係るローソク立ての実施形態を示す側面断面図である。
【図２】ローソク立ての外観を示す正面図である。
【図３】ローソク立ての要部構成を示す平面断面図である。
【符号の説明】
１  開口部
２  筒状本体
４  ローソク支持部材
５  金網材
６  格子状部
７  係止部
８  垂下部
９  水平部
１０  ローソク保持部
【図１】
0003930310.tif 000002
【図２】
0003930310.tif 000003
【図３】
0003930310.tif 000004